(57)【特許請求の範囲】
【請求項１】
ａ）  製品を収容する容器（２）に取付けられる本体（１３）と、
ｂ）  前記本体（１３）に対して移動して前記容器（２）上に設けられたディスペンサー部材（４）を作動させる押圧ボタン（１１）であって、ディスペンサー部材（４）に連通する放出口（７）を有し、ディスペンサーヘッドが分配位置にあるときに押圧ボタン（１１）に作用する力に応じて、該放出口（７）を通して前記製品を移送する押圧ボタン（１１）と、
ｃ）  前記本体（１３）に取付けられ、ディスペンサーヘッドが貯留位置にあるときに前記放出口（７）を遮蔽することができる遮蔽手段（１５）と、
ｄ）  ディスペンサーヘッド（１０）を少なくとも部分的に覆う着脱自在のキャップ（２０）であって、前記遮蔽手段（１５）と協働して、ディスペンサーヘッドにキャップ（２０）を固定すると同時に遮蔽手段（１５）に前記放出口（７）を遮蔽することができるキャップ固定手段（２３−２５）を有するキャップ（２０）とを具備し、
ｅ） 前記遮蔽手段（１５）が前記ディスペンサーヘッド（１０）に対して半径方向に延びるランプ部（３０）を形成し、前記キャップ固定手段（２３−２５）が、ディスペンサーヘッド（１０）に対するキャップ（２０）の回動に応答して、前記ランプ部（３０）に係合して、キャップ（２０）をディスペンサーヘッドに係止させる動作を可能にする形状を有し、該動作が、少なくとも一の半径方向に作用し、前記ディスペンサーヘッド上に着脱自在なキャップ（２０）が固定される構成であることを特徴とする化粧料等の製品のためのディスペンサーヘッド。
【請求項２】
貯留位置から分配位置への動作及びその逆方向の動作が、押圧ボタン（１１）を本体（１３）に対して回動させることにより行われる構成とされたことを特徴とする請求項１に記載のディスペンサーヘッド。
【請求項３】
貯留位置にあるときにディスペンサー部材（４）の作動を不能にするディスペンサー部材固定手段（２６−２８）が設けられていることを特徴とする請求項１又は２に記載のディスペンサーヘッド。
【請求項４】
上記ランプ部（３０）が上記遮蔽手段を構成するフィンガー部（１５）により構成されていることを特徴とする請求項１ないし３の何れか１項に記載のディスペンサーヘッド。
【請求項５】
前記放出口（７）が、前記フィンガー部（１５）の自由端（１６）により貯留位置において閉塞され、該自由端（１６）は、キャップ固定化手段（２３−２５）が前記フィンガー部（１５）により形成されたランプ部（３０）に係合したとき前記放出口（７）の方向に弾性的に付勢されることを特徴とする請求項４に記載のディスペンサーヘッド。
【請求項６】
前記キャップ固定手段が、キャップ（２０）の側方スカート部（２１）の内面上に形成され、キャップの径方向内側に向けて延びる少なくとも一のフィン部（２３−２５）からなることを特徴とする請求項４又は５に記載のディスペンサーヘッド。
【請求項７】
複数のフィン部（２３−２５）が前記内面に均一に分布して形成されていることを特徴とする請求項６に記載のディスペンサーヘッド。
【請求項８】
請求項１ないし７の何れか１項に記載のディスペンサーヘッド（１０）を備えたことを特徴とする、化粧料等の製品を収容し、加圧下で分配するための装置。
【請求項９】
前記ディスペンサー部材がポンプ（４）又はバルブからなることを特徴とする請求項８に記載の収容分配装置。
【請求項１０】
容器（１）が、少なくとも２種のベース組性物のその場での混合のための装置、瓶体又は管体からなることを特徴とする請求項８又は９に記載の収容分配装置。
【発明の詳細な説明】
【０００１】
【発明の属する技術分野】
本発明は、例えば手で作動させるポンプのようなディスペンサー部材が設けられた瓶、管もしくは他の任意の容器に装着するためのディスペンサーヘッドに関する。
この種のヘッドは、化粧品、医薬品又は皮膚用医薬品の分配に特に好適である。このような製品は、特にミルク、クリーム、ペースト又はゲルの形態である。
【０００２】
【従来の技術及び発明が解決しようとする課題】
上述した種類の製品は、通常は、例えば熱可塑性樹脂又はガラスからなる瓶に収容される。その瓶にはディスペンサー装置、つまり、上記製品を収容する容器にディスペンサーヘッドを取り付けるための本体と、該本体に対して移動して上記容器上に設けられたディスペンサー部材を作動させる押圧ボタンとを具備し、該押圧ボタンがディスペンサー部材に連通した放出口を有し、ディスペンサーヘッドが分配位置にあるときに押圧ボタンに作用する押圧力によって該放出口を通して上記製品の所定分量を移送する構成であり、ディスペンサーヘッドが貯留位置にあるときに上記放出口を隠すように本体に取り付けられた手段を具備し、離脱可能なキャップが上記ヘッドを少なくとも部分的に覆うために設けらたディスペンサー装置が設けられている。
【０００３】
このようなディスペンサー装置に伴う問題は多い。一番目の問題は、貯留位置において放出口を遮蔽するための部材が、特に遮蔽部材と放出口の間の距離を最小にしなければならないにもかかわらず放出口を満足なかたちで遮蔽していない事実である。遮蔽部材と放出口との間に距離があるために、放出口の近くに残る製品の全てが乾燥してしまうか、及び／又は酸化してしまう。このような乾燥と酸化のために、長い間使用していなかった後では装置を使用することが困難になることがある。更に、酸化した製品は、通常はあまり魅力的ではない色彩を持つようになる。この課題を解決するために複雑でかつ高価な解決手段が考えられてきたが、その解決方法が有する２つの大きな欠陥のために成功していない。
【０００４】
更に、他の問題は、そのようなディスペンサーヘッドへのキャップ又はストッパーの取り付けに関する問題である。代表的なストッパーとしては、スクリューオンストッパー、クリップオンストッパー及び摺動ストッパーの三種のストッパーを挙げることができる。
一般に、これらのストッパーは成形により得られ、殆ど不可避的にアンダーカット部分を有し、これを鋳型から取り除くためには、引き抜くか(これは外観的にも付設物の堅牢性についても有害である)、鋳型を開く前に側方に移動する二部品を具備するタイプスライド鋳型式の鋳型を使用するかが必要となる。しかし、この種の鋳型は単に開放される鋳型よりも高価である。あるいは、鋳型からネジを外すようにネジを緩めることができる鋳型を使用することができる。
【０００５】
また、容器の首部に形成された突起部からなるランプ部により容器に蓋部を固定することも提案されており、蓋部の内面に形成された一又は複数の対応する部材がその突起部に係合して、容器に蓋部を締結するようになっている。容器は、閉塞方向と同じ方向に蓋部を容器に対して回動させて、対応する一又は複数の部材をして一又は複数のランプ部上を通過させることにより、開放される。
【０００６】
【課題を解決するための手段】
本発明の目的の一つは、信頼性があり、製作が経済的で美的にも良好な、ヘッドにキャップを取り付けるためのシステムを有し、ディスペンサーヘッドが貯留位置にあるときには、ディスペンサー口を効果的に遮蔽し、コストを顕著に増加させることもない上述した種類のディスペンサーヘッドを提供することにある。
更に他の目的は以下の詳細な説明から明白になるであろう。
【０００７】
本発明の第一の側面によれば、上記の目的は、化粧料等の製品のためのディスペンサーヘッドであって、製品を収容する容器にヘッドを取り付けるための本体と、該本体に対して移動して上記容器上に設けられたディスペンサー部材を作動させる押圧ボタンとを具備し、該押圧ボタンがディスペンサー部材に連通した放出口を有し、ヘッドが分配位置にあるときに押圧ボタンに加えられる押圧力に応答して、該放出口を通して上記製品を移送する構成とされる一方、本体に取り付けられて、ヘッドが貯留位置にあるときに上記放出口を遮蔽する遮蔽手段と、ヘッドを少なくとも部分的に覆う着脱自在のキャップとを具備し、該キャップが、上記遮蔽手段と協働して、ディスペンサーヘッドにキャップを固定するキャップ固定手段を有するディスペンサーヘッドにより達成される。
【０００８】
遮蔽手段は２つの本質的な機能を有している：一つには、遮蔽手段は、押圧ボタンの放出口を遮蔽する。二つには、遮蔽手段はディスペンサーヘッドにキャップを固定化する役割を担う。従って、このようなディスペンサーヘッドの機能は、そのコストを顕著に増加させることなく多機能化されている。キャップを固定するためにキャップに取り付けられた手段は、また放出口の閉塞の密封性を改善する。
【０００９】
貯留位置から分配位置への動作及びその逆の動作は、押圧ボタンを本体に対して回動させることにより行われるのが好ましい。このような動きは、１／４回転又はそれ以上の回動動作により達成することができる。
【００１０】
貯留位置にあるときにディスペンサー部材の作動を不能にする手段が設けられることが好ましい。このような手段は、例えば押圧ボタンに取り付けられた耳部からなり、押圧ボタンに対する本体の角度に応じて、本体に形成された溝に面するようになるか、あるいはその逆になる。溝と耳部の周方向の配置を一致させることにより押圧ボタンを作動させることが可能になる。
【００１１】
好ましくは、上記閉塞手段と上記固定手段の一方は、上記ディスペンサーヘッドに対して半径方向に延びる少なくとも一のランプ部を形成し、上記閉塞手段と上記固定手段の他方が、ディスペンサーヘッドに対するキャップの回動に応答して、上記ランプ部(一又は複数)に係合して、キャップをディスペンサーヘッドに係止させる動作を可能にする形状を有し、該動作が、少なくとも一の半径方向に作用し、上記ディスペンサーヘッド上に着脱自在なキャップが固定される。得られる締結力は、押圧ボタンの放出口に向けてそれを付勢する弾性作用を閉塞手段に作用させ、閉塞部材と放出口の間の密封性を顕著に改善する。
【００１２】
好適な実施態様においては、上記ランプは上記閉塞手段を構成するフィンガー部により構成されている。
【００１３】
上記放出口が、上記フィンガー部の自由端により貯留位置において遮蔽され、該自由端は、固定化手段が上記フィンガーにより形成されたランプ部に係合したとき上記放出口の方向に弾性的に付勢されるのが好ましい。遮蔽フィンガー部の自由端と本体の間のランプ部の存在は、放出口の位置が、押圧ボタンの側方面から径方向にずれていなければならないことを意味し、よって、ディスペンサーヘッドに沿い該ヘッドが取り付けられた容器上に製品が流れ落ちる可能性が小さくなる。
【００１４】
上記キャップ固定手段は、キャップの側方スカート部の内面上に形成され、該キャップの径方向内方に向けて延びる少なくとも一のフィン部から形成することができる。
【００１５】
数個のフィン部を上記内面に均一に分布して形成するのが好ましい。複数のフィン部を設けることにより、ランプ部を形成するフィンガー部にフィン部を係合させるためにディスペンサーヘッドに対してキャップを回す周方向の移動距離が低減されるのでディスペンサーヘッドにキャップを固定することが容易になる。
【００１６】
本発明の他の側面では、第１の側面のディスペンサーヘッドを備えたことを特徴とする、化粧料等の製品を収容し、加圧下で分配するための装置がまた製作される。
【００１７】
上記ディスペンサー部材はポンプ又はバルブからなり、ポンプが好適な実施態様である。
【００１８】
容器は、少なくとも二種のベース組成物のその場での混合のための装置、瓶体又は管体からなってもよい。典型的には、二種のベース組成物のその場での混合のためのこの種の装置は、使用時まで混合されない二以上のベース組成物を別個に含む二以上の容積部からなる。容積部は、装置の最初の使用時に除去可能なシール手段により分離される。この種の包装は、ビタミンが安定ではなくなる他の組成物と組み合わせて、ビタミンＣ等を含むタイプの混合物に対して特に好適である。
【００１９】
上述した構成とは別に、本発明は、添付の図面を参照して説明する幾つかの非限定的な実施例に関して以下により詳細に説明するある数の他の構成からなる。
【００２０】
【発明の実施の形態】
図１に示されるように、装置１は、一端にネック部３が設けられた特にガラス製の容器２を含む。ネック部３の自由端は開口部となっており、そこに、ポンプステム部５が上部に取り付けられたポンプ４が取り付けられている。
【００２１】
ポンプステム部５は、圧入により、押圧ボタン１１に軸方向に形成されたパイプ状で、そのパイプ体は、上記押圧ボタン１１に形成された突起部８の端部に形成された放出口４に側方から開口している。押圧ボタン１１はポンプ４を作動させるために押圧する面となる表面１２を有している。
【００２２】
ディスペンサーヘッド１０は、軸方向に移動可能で、(特にネジ締結又はスナップ締結により)容器２に固定して取り付けられた本体１３に対して少なくとも部分的に回動するように取り付けられた押圧ボタン１１を具備している。ディスペンサーヘッドは、特にポリプロピレン及びポリエチレンから選択される一又は複数の熱可塑性樹脂の成形により得ることができる。押圧ボタンと本体は、破壊させることができる材料からなる橋部により一体となった二つの部品からなる単一部品として成形することができ、ついで特に嵌合時又は最初の使用時に破壊される。図示した実施態様においては、本体１３は瓶体のネック部にねじ込まれており、瓶体のネック部３内の所定位置にポンプ４を保持することが可能な内方部分(図示せず)を有している。あるいは、ポンプ本体は、瓶体のネック部内に圧入してもよいし、あるいは接着してもよい。
【００２３】
本体１３は、容器２から離れる方向に向き、後で詳細に見るように、押圧ボタンの放出口７に対向して位置せしめられる平坦な自由端部分１６を呈するフィンガー部１５を有している。貯留位置と称するこの位置で、各使用後に上記放出口の近くに残りうる製品の乾燥化又は酸化の危険性が顕著に低減される。自由端１６の反対の端部には、フィンガー部１５が、本体１３の側方スカート部１７と該本体の横断カラー部１８が合致する領域で本体１３に付設されている。フィンガー部１５は、本体１３との成形により得ることができる。本体１３に対するフィンガー部１５の付設領域と、フィンガー部１５の端部１６の間には、図４(ｂ)及び(ｃ)から更に明瞭であるように、ディスペンサーヘッド１０に対して径方向に延びるランプ部を形成可能な曲面部３０が延びている。
【００２４】
本体１３と押圧ボタン１１からなる装置は、一端が開放され他端が端面壁部２２により閉塞された側方スカート部２１からなるキャップ２０により蓋がされるようになっている。側方スカート部２１の内面に径方向に配設されているのは１２０度離間した３つのフィン部２３〜２５であり、これは、本体１３に対するキャップ２０の回動に応答して、キャップ２０を容器上に係止できるようにフィンガー部１５の部位３０により形成されたランプ部と係合させられる。一様に離間した数個のフィン部が存在するので、本体１３へのキャップ２０の係止に必要な回動の角度を低減することが可能になる。後で詳細に説明するように、本体へのキャップの締結により、押圧ボタン１１の放出口７に向けてフィンガー部１５の自由端１６を付勢することができ、フィンガー部１５と放出口７との間をより気密的に接触させることが可能になる。フィンガー部の自由端１６は、該フィンガー部１５が形成されている熱可塑性材料の固有の弾性によりディスペンサー口７により近くなるように移動させることができる。
【００２５】
ランプ部３０の径方向の高さは好適には、通常の締結条件下で、フィン部２３〜２５がその頂部を通過することができないように選択される。従って、キャップの取り外しには、容器に対して嵌合方向とは反対の方向にキャップを回動させることが必要となる。
【００２６】
図２(ａ)の側面図では、ディスペンサーヘッド１０は貯留位置にある。貯留位置にあるディスペンサーヘッド１０の前面図は図２(ｂ)に示す。この位置において、フィンガー部１５は、押圧ボタン１１のディスペンサー口７に対向している。この位置において、特に、分配位置(図３(ａ)、３(ｂ))から貯留位置(図２(ａ)、２(ｂ)、２(ｃ))へ移動するとき、本体１３に対する押圧ボタン１１の移動に必要なクリアランスのために、シールは相対的なものに過ぎない。このクリアランスは１ｍｍ又はそれ以上のオーダーとすることができる。図２(ａ)及び２(ｂ)の位置においては、図２(ｃ)の断面図から分かるように、押圧ボタン１１に取り付けられた耳部２６が、本体１３に形成された凹所２７の第一端に当接しており、約９０度の角度にわたって延びている。押圧ボタン１１を本体１３に対して回動させると、上記耳部２６が上記凹所２７内を移動する。図２(ａ)〜２(ｃ)の位置において、耳部２６は、凹所２７の最初の端部の反対で、凹所２７の面に直角に延びる第２の端部で、本体１３に形成された溝２８に対して角度をもってずれている。従って、押圧ボタン１１は、ポンプ４を作動させるために軸方向に移動させることができず、よってディスペンサーヘッドが貯留位置にあるときに偶発的に製品のある分量が放出されることが不可能になる。
【００２７】
図３(ａ)及び３(ｂ)(図１の位置にも対応する)に示した分配位置において、放出口７はフィンガー部１５に対してある角度だけずれている。図３(ｂ)から明らかなように、耳部２６は溝２８に面している。従って、この位置では、押圧ボタン１１は、ポンプ４を作動するように軸方向に押圧することができ、この位置で開放される開放口７を通して製品の一定分量を分配することができる。
【００２８】
装置１にキャップ２０を取り付けるには、使用者は、装置のキャップを図４(ａ)に示したようにする。最初に、フィン部２３，２４、２５の何れもフィンガー部１５により形成されたランプ部３０には係合していない(図４(ｂ))。この位置において、フィンガー部１５の自由端１６は放出口７と液密的に接触していない。ついで、使用者は図４(ｃ)に示すようにキャップ２０を回す。せいぜい１２０度回動させたところで、フィン部２３の一つがフィンガー部１５により形成されたランプ部３０に係合せしめられる。このような係合は一方ではキャップ２０を本体１３に係止させ(この位置で、フィン部２４と２５がまた本体１３に向けて付勢されている)、他方で、シール状態で閉止するようにフィンガー部１５の自由端１６を放出口７に保持させる。開放時に使用者は反対方向にキャップを回し、フィン部２３がフィンガー部１５にもはや係合しなくなるまで回し続ける。
【００２９】
キャップ２０の取り外しは、それを取り付ける方向とは反対の方向に容器２に対してそれを回動させることによりなされる。フィン部２３がランプ部３０に係合しなくなると、フィンガー部１５は、弾性復元効果により、自由端１６が放出口７と液密的に接触していない図４(ｂ)の位置まで戻る。従って、キャップ２０は取り外され、押圧ボタン１１は本体１３に対して回され、貯留位置から分配位置にディスペンサーヘッド１０を移動させることができる。
【００３０】
上記の詳細な説明においては、本発明の幾つかの好適な実施態様について言及した。特許請求の範囲に記載した本発明の範囲を逸脱しないでこれらの実施態様に変更を加えることができることは明らかである。
【図面の簡単な説明】
【図１】  本発明の好適な実施態様に係るディスペンサーヘッドを備えた分配装置の分解図である。
【図２】  ディスペンサーヘッドが貯留位置にある場合の図１の装置の装置を示すもので、(ａ)及び(ｂ)は側面図、(ｃ)は(ａ)のｃ−ｃ線に沿う断面図である。
【図３】  ディスペンサーヘッドが分配位置にある場合の図１の装置の装置を示すもので、(ａ)は側面図、(ｂ)は(ａ)のｂ−ｂ線に沿う断面図である。
【図４】  図１の装置を示すもので、(ａ)はキャップを断面で表し、(ｂ)ではキャップが非係止位置にあり、(ｃ)では係止位置にある。
【符号の説明】
２          容器
７          放出口
１１        押圧ボタン
１３        本体
１５        遮蔽手段
２０        キャップ
【図１】
0003771102.tif 000002
【図２】
0003771102.tif 000003
【図３】
0003771102.tif 000004
【図４】
0003771102.tif 000005